(57)【特許請求の範囲】
【請求項１】
液透過性の表面シート、液不透過性の防漏シート、及び液保持性の吸収体を備え、実質的に縦長である吸収性本体と、該吸収性本体の長手方向左右両側に設けられた、一対の立体ガードとを具備する吸収性物品において、
上記吸収性本体のレッグ部には、レッグギャザーが形成されておらず、
上記立体ガードは、その長手方向両端部が上記吸収性本体に固着されていると共に、長手方向中間部における基端と自由縁端との間の一部が該吸収性本体と固着されて、該立体ガードと該吸収性本体とで排泄物捕捉用の空洞部を形成しており、且つ該吸収性本体の長手方向に向けてギャザーが形成されており、
前記立体ガード弾性部材が、上記立体ガードの基端と自由縁端との間に複数配されており、
上記立体ガードは、その長手方向両端部それぞれが、該立体ガードにおける吸収性物品幅方向内方側の側縁近傍において上記吸収性本体に固着されて形成された一対の端縁固着部と、その長手方向中間部が、複数の上記立体ガード弾性部材のうちの中間に位置する立体ガード弾性部材が配された位置において上記吸収性本体に固着されて形成された中央固着部とを有しており、
一対の上記端縁固着部及び上記中央固着部は、一対の該端縁固着部それぞれと該中央固着部との間に、上記空洞部の一対の開口部が、吸収性物品の長手方向に対してそれぞれ斜め方向に延びて形成されるように形成されている吸収性物品。
【請求項２】
前記立体ガード弾性部材が、立体ガードの自由縁端に配されている請求項１記載の吸収性物品。
【発明の詳細な説明】
【０００１】
【発明の属する技術分野】
本発明は、漏れ防止性に優れ、着用時にムレない使い捨ておむつ等の吸収性物品に関する。
【０００２】
【従来の技術及び発明が解決しようとする課題】
使い捨ておむつ等の吸収性物品においては、漏れを効果的に防止することが重要な課題である。特に、排泄物が軟便等の粘度の高いものである場合に漏れを効果的に防止するのは困難であった。
軟便等に対する漏れ防止性を向上させるために、特許第２５７２７４４号公報には、レッグ部に弾性部材が配されてレッグギャザーが形成されてなる使い捨ておむつにおける吸収体の周縁に立体ガードを形成し、係る立体ガードのうち吸収体の左右両側に位置する部位の長手方向中央部分で且つ幅方向中間を固定して、前後に排泄物捕捉用のポケットを形成してなる使い捨ておむつが提案されている。
しかし、このような提案に係る使い捨ておむつにおいても、未だ漏れを防止するのに十分でなく、更に漏れ防止性に優れた吸収性物品が要望されている。
【０００３】
従って、本発明の目的は、軟便等の粘度高い排泄物に対する漏れ防止性の高い吸収性物品を提供することにある。
【０００４】
【課題を解決するための手段】
本発明は、液透過性の表面シート、液不透過性の防漏シート、及び液保持性の吸収体を備え、実質的に縦長である吸収性本体と、該吸収性本体の長手方向左右両側に設けられた、一対の立体ガードとを具備する吸収性物品において、上記吸収性本体のレッグ部には、レッグギャザーが形成されておらず、上記立体ガードは、その長手方向両端部が上記吸収性本体に固着されていると共に、長手方向中間部における基端と自由縁端との間の一部が該吸収性本体と固着されて、該立体ガードと該吸収性本体とで排泄物捕捉用の空洞部を形成しており、且つ該吸収性本体の長手方向に向けてギャザーが形成されており、前記立体ガード弾性部材が、上記立体ガードの基端と自由縁端との間に複数配されており、上記立体ガードは、その長手方向両端部それぞれが、該立体ガードにおける吸収性物品幅方向内方側の側縁近傍において上記吸収性本体に固着されて形成された一対の端縁固着部と、その長手方向中間部が、複数の上記立体ガード弾性部材のうちの中間に位置する立体ガード弾性部材が配された位置において上記吸収性本体に固着されて形成された中央固着部とを有しており、一対の上記端縁固着部及び上記中央固着部は、一対の該端縁固着部それぞれと該中央固着部との間に、上記空洞部の一対の開口部が、吸収性物品の長手方向に対してそれぞれ斜め方向に延びて形成されるように形成されている吸収性物品を提供することにより、上記目的を達成したものである。
【０００５】
【発明の実施の形態】
以下、本発明の吸収性物品の好ましい１実施形態について説明する。
本実施形態の吸収性物品としての使い捨ておむつ１は、図１〜３に示すように、液透過性の表面シート２、液不透過性の防漏シート３、及び液保持性の吸収体４を備え、実質的に縦長である吸収性本体１０と、該吸収性本体１０の長手方向左右両側に設けられた、一対の立体ガード６とを具備する。
【０００６】
本実施形態の使い捨ておむつ１は、吸収体４を表面シート２と防漏シート３とにより狭持固定してなり、吸収体４の長手方向左右両側縁から表面シート２と防漏シート３とが延出されて、着用時に着用者の脚回りに当接する左右一対のレッグ部７を形成している。
また、着用時に着用者の腹側に位置する腹側部Ａ及び背側に位置する背側部Ｂにおけるウエスト開口部８には、それぞれウエスト部弾性部材８１が配されてそれぞれウエストギャザーが形成されている。そして、背側部Ｂの左右両側縁部Ｂ１，Ｂ２には、それぞれ使い捨ておむつ止着用のファスニングテープ１１が設けられている。
また、立体ガード６は、それぞれ、細帯状のシート材６１を腹側のウエスト開口縁８２Ａから背側のウエスト開口縁８２Ｂにかけて配して形成されている。そして、シート材６１は、その長手方向端縁が、ウエスト開口部８側で表面シート２に固着されており、長手方向側縁６ｃが、レッグ部７において防漏シート３に接着されて固定されている。従って、立体ガード６の基端６０は、レッグ部７における防漏シート３上に位置している。
【０００７】
而して、本実施形態の使い捨ておむつ１おいて、吸収性本体１０の左右一対のレッグ部７には、レッグギャザーが形成されておらず、立体ガード６は、その長手方向両端縁部６ａが吸収性本体１０に固着されていると共に、長手方向中間部６ｂにおける基端６０と自由縁端６３との間の一部が吸収性本体１０と固着されて、立体ガード６と吸収性本体１０とで排泄物捕捉用の空洞部９を形成しており、且つ吸収性本体１０の長手方向に向けてギャザーが形成されている。
【０００８】
更に詳述すると、本実施形態の使い捨ておむつ１においては、吸収性本体１０における着用者の脚回りに当接するレッグ部７にレッグギャザーが形成されないように、吸収性本体１０のレッグ部７を形成する表面シート２及び防漏シート３に弾性伸縮性が付与されていない。即ち、弾性部材等は配されていない。
なお、上記「当接する」とは、吸収性本体が直接着用者の肌に当たる場合、及び本実施形態のように立体ガード形成用のシート材を介する等して間接的に当たる場合の両方を含む意である。
【０００９】
立体ガード形成用のシート材６１は、その外側縁６ｃ及び、長手方向両端縁６ａ’において吸収性本体１０に接着されている。また、上記の長手方向中間部６ｂにおいて固着されて形成された中央固着部６６は、シート材６１の長手方向のほぼ中央部における幅方向のほぼ中央部に位置する。また、長手方向端縁部６ａにおいて固着されて形成された一対の端縁固着部６７は、長手方向の端部側における幅方向の内方側の側縁近傍に位置する。長手方向端縁６ａ’は、その全辺が吸収性本体１０に固着されている。
そして、これにより中央固着部６６と端縁固着部６７との間に立体ガード６と吸収性本体１０の表面シート２とにより形成された一対の開口部９０が形成されており、空洞部９は、一対の開口部９０を連結するように一つ形成されている。
【００１０】
中央固着部６６は、おむつの幅方向外方から２番目に配された立体ガード弾性部材６４（後述する）の配されている部分を吸収性本体１０に固着して形成されている。これにより、開口部９０は、おむつの長手方向に対して斜め方向となるように形成されている。そして、空洞部９は、吸収性本体１０に固着された、シート材６１のおむつの外方側の幅方向側縁６ｃ及び長手方向両端縁６ａ’を周縁とし、中央固着部６６及び端縁固着部６７により形成された開口部９０を排泄物の捕集口を機能させるように形成されている。
【００１１】
中央固着部６６の長さは、５〜１００ｍｍとするのが好ましく、線状であり、その幅は２〜５０ｍｍとするのが好ましい。
また、端縁固着部６７の長さは、１０〜２００ｍｍとするのが好ましく、線状であり、その幅は２〜１００ｍｍとするのが好ましい。
そして、開口部９０の長さは、３０〜２００ｍｍとするのが好ましい。なお、本実施形態において、一対の開口部９０はそれぞれ対象位置に形成されており、同じ長さである。
また、空洞部９は、自然状態（使い捨ておむつに外力をかけずに各弾性部材を自然に収縮させた状態）の体積が、１０〜１０００ｃｍ3 となるように形成されている。
【００１２】
立体ガード６における上記ギャザーは、自由縁端から基端方向に亘って形成された弾性部６５により形成されている。弾性部６５は、立体ガード６に複数のひも状の立体ガード弾性部材６４を配して形成されている。
立体ガード弾性部材６４は、立体ガード６の自由縁端６３に配されており、また、立体ガード６の基端６０と自由縁端６３との間に、複数本、それぞれ所定間隔を開けて且つ自由縁端６３に沿って配されている。なお、図１においては、ギャザーを形成する立体ガード６を図示する都合上、弾性部材が湾曲するように図示しているが、本実施形態においては直線状に配している。
【００１３】
立体ガード弾性部材６４は、自由縁端６３に１本、また、自由縁端６３から基端６０までの間に４本配されている。各立体ガード弾性部材６４は、自由縁端６３において折り返されたシート材６１により、接着剤を介して狭持固定されている。また、各立体ガード弾性部材６４は、それぞれ、自由縁端６３に平行に且つおむつの長手方向に沿って配されている。
また、各立体ガード弾性部材６４間の間隔は、２〜５０ｍｍとするのが好ましく、弾性部６５の幅は、１０〜１５０ｍｍとするのが好ましい。
【００１４】
立体ガード弾性部材６４の応力は、１０ｇｆ〜１０００ｇｆとするのが好ましい。
ここで、上記「応力」は、下記のようにして測定できる。
弾性部材を長さ１５０ｍｍに切り出し、テンシロン引っ張り試験機〔（株）オリエンテック社製〕を用い、チャック間距離１００ｍｍ、引っ張り速度３００ｍｍ／ｍｉｎで引っ張り試験を行い、１００％伸長時の応力を測定した。
【００１５】
次に、本実施形態の使い捨ておむつ１を構成する各部材の形成材料について説明する。
上記表面シート２、上記防漏シート３、上記吸収体４、上記ウエスト部弾性部材８１及び上記ファスニングテープ１１の形成材料としては、通常、使い捨ておむつに用いられるものを特に制限なく用いることができる。
【００１６】
前記シート材６１は、通気性のシートであるのが好ましく、その透気度は５００ｓｅｃ／１００ｃｃ以下が好ましく、１００ｓｅｃ／１００ｃｃ以下であるのがより好ましい。透気度を５００ｓｅｃ／１００ｃｃ以下とすることにより、通気効果が良好で、着用時におむつ内部が蒸れることがなく、カブレ等の装着者の肌へ悪影響を及ぼすことが少なくなる。
また、前記シート材６１の耐水圧（撥水度）は３．０ｇ／ｃｍ2 以上が好ましく、５．０ｇ／ｃｍ2 以上が更に好ましい。耐水圧を３．０ｇ／ｃｍ2 以上とすることにより、排泄物の滲み出しが少なく、漏れ防止効果が高くなる。
このような条件を満足するシート材６１の形成材料としては、スパンボンド、サーマルボンド、スパンボンド−メルトブローン不織布（ＳＭ）、スパンボンド−メルトブローン−スパンボンド不織布（ＳＭＳ）、スパンボンド−メルトブローン−メルトブローン−スパンボンド不織布（ＳＭＭＳ）、ヒートロール、エアースルー、メルトブローン、スパンレース不織布等が挙げられる。
【００１７】
ここで、上記透気度及び上記耐水圧は、それぞれ下記のようにして測定される。
〔透気度〕
ＪＩＳ−Ｐ８１１７に準じて測定した。即ち、シートを７０×７０ｍｍの大きさに裁断し、透気度測定器（王研式透気度測定器）を用いて１００ｍｌの空気が透過するのに要する時間を測定した。
〔耐水圧〕
ＪＩＳ−Ｌ１０９２に準じて測定した。
【００１８】
上記立体ガード弾性部材６４は、それぞれ、特に制限されず、従来公知の弾性部材を制限なく用いることができる。尚、自由縁端に配する立体ガード弾性部材と他の立体ガード弾性部材とは、それぞれ応力を異ならせるために、異なる材料を用いても良いし、同じ材料で伸張率等を変更しても良い。
【００１９】
本実施形態の使い捨ておむつ１は、通常の展開型の使い捨ておむつと同様に使用することができる。
そして、本実施形態の使い捨ておむつ１は、空洞部９が排泄物の捕集ポケットとして機能するため、軟便等の粘性の排泄物に対しても漏れ防止性が向上されたものである。
また、本実施形態のように、複数の立体ガード弾性部材６４の内の中間に位置する弾性部材が配された位置で立体ガード６を固着して中央固着部６６を形成した場合、更に立体ガード６の起立性が向上し、良好なバリヤを形成できるため、ポケットの機能に加えて、軟便等の粘性の排泄物に対する機能の向上されたバリヤ（立体ガード）機能をも兼ね備えることができ、より一層漏れ防止性が向上される。更にこのような効果は、本実施形態のように、中央固着部６６及び端縁固着部６７を開口部が使い捨ておむつの長手方向に対して斜め方向に形成されるように形成した場合に特に顕著である。
【００２０】
本実施形態の使い捨ておむつは、常法に従い、吸収体及びウエスト部弾性部材を、防漏シート及び表面シートで挟持固定した後、立体ガード弾性部材が配されたシート材を所定位置に固着する等して得られる。
【００２１】
尚、上述の実施形態の説明においては、立体ガードの基端がレッグ部にあるもの、即ち吸収体上にないものを例示しているが、基端は、吸収体上に位置するようにしても良い。
また、弾性部は、ひも状の立体ガード弾性部材を用いずに、シート状の弾性材料を用いることにより形成しても良く、またシート材自体を弾性シートとしてもよい。
また、自由縁端に複数の弾性部材を束ねる等して配置することにより、自由縁端に配した立体ガード弾性部材の応力を他の弾性部材よりも大きくしても良い。また、上述の実施形態においては、展開型の使い捨ておむつを例示して説明したが、本発明は、これに制限されず、パンツ型の使い捨ておむつや、更には失禁パットや生理用ナプキン等に適用できる。
【００２２】
背側部及び腹側部の両側若しくは何れか一方にウエスト部からの漏れを防ぐために、立体ガード弾性部材を備えた立体ガードが形成されていても良い。
立体ガードまたは立体ガードに配された弾性部材が湾曲して立体ガードまたは立体ガードに配された弾性部材の端部がテープファスナーの支持部分に隣接していても良い。
立体ガードの基端部から自由縁端の間の一部に液不透過性フィルムがラミネートされていても良い。この場合には、立体ガードからの排泄物の滲み出しをより効果的に防止でき、漏れ防止効果がより向上される。
立体ガード自体が伸縮性であっても良い。
吸収体を構成する材に撥水性の台紙、不織布及び液不透過性フィルムを用いても良く、これらの材が吸収体の下部及び側部を覆う構成でも良い。この場合、装着者の体圧で一度吸収した排泄物が吸収体から滲み出すことを防止するのに有効である。
また、防漏シートを立体ガードの基端部若しくは吸収体の側縁までで、吸収体の側縁から外方に延出しない構成として、レッグ部を、シート材６１、またはシート材６１と防漏シートの表面に配された外層不織布とにより形成しても良い。この場合には、使い捨ておむつの左右両側部はより通気性を有することになり、ムレ防止効果がより向上される。また、この場合には、シート材６１のＣＤ方向の強度は、１０００ｃＮ／５０ｍｍ以上が好ましく、１２００ｃＮ／５０ｍｍ以上が更に好ましい。強度を１０００ｃＮ／５０ｍｍ以上とすることにより、装着時にシート材に力がかかる部位またはその周辺で材破して使い捨ておむつのフィット性を低下させることが少なくなる。
【００２３】
【発明の効果】
本発明の吸収性物品は、軟便等の粘度高い排泄物に対する漏れ防止性の高いものである。
【図面の簡単な説明】
【図１】図１は、本発明の第１の実施形態としての使い捨ておむつの自由状態における表面シート側を示す斜視図である。
【図２】図２は、図１のＸ−Ｘ断面図である。
【図３】図３は、図１のＹ−Ｙ断面図である。
【符号の説明】
１  使い捨ておむつ
１０  吸収性本体
１１  ファスニングテープ
２  表面シート
３  防漏シート
４  吸収体
６  立体ガード
６０  基端
６１  シート材
６３  自由縁端
６４  立体ギャザー弾性部材
６５  弾性部
７  レッグ部
８  ウエスト開口部
８１  ウエスト弾性部材
Ａ  腹側部
Ｂ  背側部
【図１】
0003953228.tif 000002
【図２】
0003953228.tif 000003
【図３】
0003953228.tif 000004